(57)【要約】【課題】シート体の使用量を大幅に減少させるとともに、リフォーム時の居住環境悪化も回避できる。  【解決手段】建屋壁面１の塗装作業をするに際して、建屋壁面１に存在する窓開口２の上縁に沿った複数箇所に、建屋壁面１から延出するように支持体４を位置させるとともに、これら支持体４間にシート体５を張設して庇体３を形成し、当該庇体３によって塗料が窓開口２へ侵入するのを規制する。【選択図】        図１
2010209624.tif 000002
【特許請求の範囲】
【請求項１】
建屋壁面の塗装作業をするに際して、建屋壁面に確保された養生領域の上縁ないし側縁に沿った複数箇所に、建屋壁面から延出するように支持体を位置させるとともに、これら支持体間にシート体を張設して庇体を形成し、当該庇体によって塗料が養生領域内へ侵入するのを規制したことを特徴とする建屋壁面塗装時の養生方法。  
【請求項２】
前記支持体は、前記養生領域の上縁ないし側縁に止着される基部と、建屋壁面から離れる方向へ延出する支持部と、支持部を補強するリブ部とを備え、これら基部、支持部およびリブ部が一枚の平板紙体を折り曲げて形成されている請求項１に記載の建屋外壁塗装時の養生方法。
【請求項３】
前記紙体は略長方形をなし、前記基部は紙体の長手方向の一端部を折り曲げて形成されているとともに、前記リブ部は紙体の長手方向へその一部を折り曲げて形成されている請求項２に記載の建屋壁面塗装時の養生方法。
【請求項４】
建屋壁面に止着される基部と、当該基部から延出する支持部と、支持部を補強するリブ部とを備え、これら基部、支持部およびリブ部を一枚の平板紙体を折り曲げて形成した請求項１に記載の建屋壁面塗装時の養生方法に使用する支持体。
【請求項５】
前記紙体は略長方形をなし、前記基部は紙体の長手方向の一端部を折り曲げて形成されているとともに、前記リブ部は紙体の長手方向へその一部を折り曲げて形成されている請求項４に記載の支持体。
【請求項６】
前記シート体には一方の側縁に沿って、前記養生領域の上縁ないし側縁に前記シート体の側縁を接着するための接着テープが設けられるとともに、前記シート体にはその長手方向へ間隔をおいて複数の前記支持体がシート体を横断するように設けられている請求項１に記載の建屋壁面塗装時の養生方法。
【請求項７】
シート体の一方の側縁に沿って、当該側縁を建屋壁面に確保された養生領域の上縁ないし側縁に沿って接着する接着テープが設けられるとともに、シート体の長手方向へ間隔をおいて複数の支持体がシート体を横断するように設けられており、このようなシート体が巻回状態で収納されている請求項１に記載の建屋壁面塗装時の養生方法に使用する養生具。
【発明の詳細な説明】
【技術分野】
【０００１】
本発明は建屋壁面塗装時の養生方法、支持体および養生具に関し、特に広い面積の養生領域を最小限の機材で養生することができる養生方法等に関する。
【背景技術】
【０００２】
従来、建屋外壁面の塗装をする場合等は、壁面に露出する窓や布基礎の外表面等に塗料が付着しないように養生している。この場合の養生方法は、シート体で窓や布基礎の全面を覆い、その外周縁を布テープ等でサッシ枠や外壁面下縁の水切り部に止着する等の方法によっている。
【０００３】
なお、特許文献１には、車輌の開閉口部を養生するための板金塗装用の養生シートが示されている。
【先行技術文献】
【特許文献】
【０００４】
【特許文献１】特開2005-177654
【発明の概要】
【発明が解決しようとする課題】
【０００５】
しかし、上記従来の養生方法では、比較的大面積の窓や布基礎の全面をシート体で覆っているために、大量のシート体が必要になるとともに、窓がシート体で閉鎖されてしまうためにリフォーム時には住人の居住環境が悪化するという問題があった。
【０００６】
そこで、本発明はこのような課題を解決するもので、シート体の使用量を大幅に減少させるとともに、リフォーム時の居住環境悪化も回避できる建屋壁面塗装時の養生方法等を提供することを目的とする。
【課題を解決するための手段】
【０００７】
上記目的を達成するために、本第１発明の建屋壁面塗装時の養生方法は、建屋壁面（１）の塗装作業をするに際して、建屋壁面（１）に存在する養生領域（２）の上縁ないし側縁に沿った複数箇所に、建屋壁面（１）から延出するように支持体（４,７，８２）を位置させるとともに、これら支持体（４，７，８２）間にシート体（５,８１）を張設して庇体（３）を形成し、当該庇体（３）によって塗料が養生領域（２）内へ侵入するのを規制したことを特徴とする。  
【０００８】
本第１発明においては、庇体を形成したことにより、壁面塗装作業時に飛散する塗料は庇体で受け止められて、養生領域へ侵入することが規制される。庇体の庇面積は養生領域の面積に比して十分小さくできるから、シート体の使用量を大幅に低減することができる。また、養生領域が窓開口である場合には、窓体が開閉可能な状態に維持できるから、リフォーム時等の居住環境悪化も避けられる。
【０００９】
本第２発明では、上記支持体（４）は、養生領域（２）の上縁ないし側縁に止着される基部（４１，７１）と、建屋壁面（１）から離れる方向へ延出する支持部（４２，７２）と、支持部を補強するリブ部（４３，７３）とを備え、これら基部（４１，７１）、支持部（４２，７２）およびリブ部（４３，７３）が一枚の平板紙材を折り曲げて形成されている。
【００１０】
本第２発明においては、支持体を、平板の紙材を折り曲げて形成しているから、平板の紙材を積み重ねることによって保管、搬送をコンパクトに行うことができる。さらに紙材であるから使用後の処分も容易である。
【００１１】
本第３発明では、上記紙材は略長方形をなし、基部（４１）は紙材の長手方向の一端部を折り曲げて形成されているとともに、リブ部（４３）は紙材の長手方向へその一部を折り曲げて形成されている。本第３発明においては、紙材はほぼ長方形状とできるから材料取りに無駄を生じない。
【００１２】
本第４発明の建屋壁面塗装時の養生方法に使用する支持体は、建屋壁面（１）に止着される基部（４１）と、当該基部（４１）から延出する支持部（４２）と、支持部（４２）を補強するリブ部（４３）とを備え、これら基部（４１）、支持部（４２）およびリブ部（４３）を一枚の紙材を折り曲げて形成する。
【００１３】
本第５発明では、支持体を形成する上記紙材は略長方形をなし、基部（４１）は紙材の長手方向の一端部を折り曲げて形成されているとともに、リブ部（４３）は紙材の長手方向へその一部を折り曲げて形成されている。
【００１４】
本第６発明の建屋壁面塗装時の養生方法では、シート体（８１）には一方の側縁に沿って、養生領域（２）の上縁ないし側縁にシート体（８１）の側縁を接着するための接着テープ（８３）が設けられるとともに、シート体（８１）にはその長手方向へ間隔をおいて複数の支持体（８２）がシート体（８１）を横断するように設けられている。
【００１５】
本第６発明においても本第１発明と同様の効果が得られるとともに、シート体を適当長さに切断し、これに設けた接着テープを養生領域の上縁ないし側縁に接着するだけの簡易な作業で庇体を形成して養生領域の養生を行うことができる。
【００１６】
本第７発明の建屋壁面塗装時の養生方法に使用する養生具では、シート体（８１）の一方の側縁に沿って、当該側縁を建屋壁面（１）に存在する養生領域（２）の上縁ないし側縁に沿って接着する接着テープ（８３）が設けられるとともに、シート体（８１）の長手方向へ間隔をおいて複数の支持体（８２）がシート体（８１）を横断するように設けられており、このようなシート体（８１）が巻回状態で収納されている。
【００１７】
なお、上記カッコ内の符号は、後述する実施形態に記載の具体的手段との対応関係を示すものである。
【発明の効果】
【００１８】
以上のように、本発明の建屋壁面塗装時の養生方法等によれば、シート体の使用量を大幅に減少させるとともに、リフォーム時の居住環境の悪化も回避することができる。
【図面の簡単な説明】
【００１９】
【図１】本発明の第１実施形態における庇体を設けた建屋外壁窓開口の斜視図である。
【図２】支持体を上方から見た斜視図である。
【図３】支持体を図２のＡ矢印で示す下方から見た斜視図である。
【図４】支持体を形成する紙材の平面図である。
【図５】本発明の第２実施形態における支持体の斜視図である。
【図６】本発明の第３実施形態における養生具の斜視図である。
【図７】養生具により形成された庇体を設けた建屋外壁窓開口の斜視図である。
【発明を実施するための形態】
【００２０】
（第１実施形態）
図１には建屋外壁面１に設けられた、養生領域としての窓開口２を養生した状態を示す。図において、矩形の窓開口２には引き違いの窓体２１，２２が設けられており、これら窓体２１，２２は、窓開口２の内周に嵌着された窓サッシ２３によって左右方向へ直線移動可能に保持されている。そして、この窓開口２に庇体３が設けられている。
【００２１】
庇体３は窓開口２の上縁両端に設けられた支持体４と、これら支持体４を覆うようにこれらの間に張設されたシート体５とを備えている。本実施形態ではシート体は例えば透明なビニルシートである。ここで、図２には、支持体４を上方から見た斜視図を、図３には、支持体４を下方から見た斜視図を示す。支持体４はボール紙等の厚紙の紙材を折り曲げて形成され、基部４１、支持部４２およびリブ部４３で構成されている。
【００２２】
支持体４を形成するための紙材は、図４に示すような略長方形をなしており、その一端部には基部４１を形成するための折れ線４４が紙材を横切るように形成されており、この折れ線４４に沿って折り曲げることで基部４１が形成される（図２、図３）。なお、基部４１には、紙材の長手方向へ延びる切り込み４１１と、これよりもやや傾斜して延びる切り込み４１２が形成されている（図４）。
【００２３】
図４において、紙材の端部を除いた部分は支持部４２となっており、ここには約半分の領域に門形の切り込み４５が形成してある。これら切り込み４５の両端間には、紙材の長手方向へ延びる、リブ部４３を形成するための折れ線４６が形成されており、切り込み４５の左右の脚部４５１，４５２は端部に近い側では長く、反対側では短くなっている。そこで、折れ線４６に沿って折り曲げることにより、基部４１と支持部４２に直交し基部４１の側で幅広となったリブ部４３が形成される（図２、図３）。
【００２４】
この際、リブ部４３の一端を図３に示すように基部４１の切り込み４１１内に挿入することによって、リブ部４３の姿勢が確定されて支持部４２が補強されるとともに、基部４１と支持部４２の成す角度θ（図３）が９０度よりも小さい角度に設定される。なお、例えば布基礎の養生をする場合のように、基部４１と支持部４２の成す角度θをさらに小さくしたい場合には、リブ部４３の一端を切り込み４１２の方へ挿入する。図４において、紙材の支持部４２の、残る半分の領域には切り込み４５の脚部４５２の一端から、紙材の長手方向へ支持部４２の他端まで延びる折れ線４７が形成されており、この折れ線４７に沿って支持部４２を山形断面に折り曲げることによって（図２、図３）、本体部４２の強度がさらに向上させられている。
【００２５】
このようにして紙材より折り曲げ形成された支持体４の基部４１を、接着テープたる両面テープ等で窓サッシ２３の上縁両端に固定し（図１）その支持部４２を建屋外壁面１から斜め下方へ延出させる。そして支持体４間にシート体５を掛け渡し、必要箇所を適宜支持体４に接着テープたる布テープ等で固着するとともに建屋外壁面１に近いシート体５の側縁５１を布テープ６等で窓サッシ２３に固着する。このようにして庇体３が形成される。
【００２６】
庇体３を形成したことにより、外壁塗装作業時に上方から飛散落下する塗料は庇体３で受け止められて、下方の窓開口２へ侵入することが規制される。本実施形態によれば、窓開口２の面積に比して庇体３の庇面積は十分小さくできるから、シート体の使用量を大幅に低減することができる。また、窓体２１，２２が開閉可能な状態に維持されているから、リフォーム時等の居住環境悪化も避けられる。さらに本実施形態では、支持体４を、平板の紙材を折り曲げて形成しているから、平板の紙材を積み重ねて保管、搬送をコンパクトに行うことができる。さらに紙材であるから使用後の処分も容易である。また、紙材はほぼ長方形状とできるから材料取りに無駄を生じない。
【００２７】
本実施形態の養生方法は前述のように例えば布基礎の養生にも使用することができ、この場合には、支持体４の基部４１を、両面テープ等で建屋外壁面下縁の水切り等に固定してその支持部４２を上記外壁から斜め下方へ延出させ、支持体４間に掛け渡したシート体５の側縁５１を布テープ等で水切りに固着する。
【００２８】
（第２実施形態）
支持体としては図５に示すようなものでも良い。図５において、支持体７は略長方形の紙材の一端が所定角度に折り曲げられて基部７１となっており、残る部分は長尺の支持部７２となっている。基部７１に近い支持部７２の半部側縁は段付に幅広となった後、基部７１に向かって漸次幅広となっており、この部分を折り曲げることによって基部７１に向かって幅広となるリブ部７３が形成されている。なお、リブ部７３の端縁は例えば布テープを使用して基部７１に固着される。このような構造の支持体７を使用しても第１実施形態と同様の効果が得られるとともに、支持体の構造をより簡素化することができる。
【００２９】
（第３実施形態）
窓開口の幅や布基礎の長さは、通常、規格化されている。そこで、本実施形態では図６に示すような養生具を使用する。すなわち養生具８は、芯材の周りに巻回されて収納される長尺のシート体８１に、その長手方向へ等間隔で支持体８２を設けたものである。支持体８２は例えばボール紙等の厚紙の長尺体で、これを、シート体８１を横切るようにその表面に貼り付けてある。シート体８１には一方の側縁に沿って布テープ８３が設けてある。このような、布テープ８３を設けた長尺のシート体８１としては、養生用のマスカーとして従来から知られているものを利用することができる。
【００３０】
上記養生具８は、庇体３（図７参照）の左右の垂れ部８５を形成するために、支持体８２を越えたところに位置する引き出し先の端部８４が、布テープ８３を設けた側へ漸次幅広となるように切断されている。この切断は、窓開口２（図７参照）の幅に合致する長さでシート体８１を引き出した後の、引き出し元の端部でも同様に行う。
【００３１】
このようにして切断したシート体８１の側縁を、図７に示すように、これに設けられた布テープ８３で窓サッシ２３の上縁に固着する。この状態で、支持体８２が建屋外壁面１から外方へ延出してシート体８１がやや前下がりに支持され、窓開口２の上方を覆う庇体３が形成される。なお、布基礎の養生を行う場合には、シート体８１の側縁をこれに設けた布テープ８３で建屋外壁面下縁の水切り等に接着する。
【００３２】
本実施形態によっても上記各実施形態と同様の効果が得られるとともに、第１実施形態のように支持体４の組み立てやこれを覆うシート体５を設置する等の手間を要することなく、シート体８１を引き出して切断し、これを窓サッシ２３の上縁に接着するだけの簡易な作業で庇体３を形成して窓開口２の養生を行うことができる。
【００３３】
（他の実施形態）
上記各実施形態では、窓開口２の上縁に沿って庇体３を設けたが、塗料の飛散方向によっては窓開口２の側縁に上下方向へ設けるようにしてもよい。また、上記各実施形態では建屋外壁面を対象としたが、建屋内壁面やその他の壁面であっても良い。
【符号の説明】
【００３４】
１…建屋外壁面（建屋壁面）、２…窓開口（養生領域）、３…庇体、４…支持体、４１…基部、４２…支持部、４３…リブ部、５…シート体、７…支持体、７１…基部、７２…支持部、７３…リブ部。
【図１】
2010209624.tif 000003
【図２】
2010209624.tif 000004
【図３】
2010209624.tif 000005
【図４】
2010209624.tif 000006
【図５】
2010209624.tif 000007
【図６】
2010209624.tif 000008
【図７】
2010209624.tif 000009